(57)【特許請求の範囲】
【請求項１】
一連のデータを、複数の記録媒体にまたがって連続的に記録するリレー記録モードを有する情報記録装置であって、
記録可能な記録媒体のうち、前記情報記録装置とは異なる外部装置にデータを送信可能な無線通信機能を有する記録媒体を判別する判別手段と、
前記リレー記録モードが設定されているか否かに基づき、前記無線通信機能を有する記録媒体による、前記無線通信機能を用いたデータ送信機能を制御する制御手段とを有し、
前記リレー記録モードが設定されている場合、前記制御手段は、前記判別手段によって前記無線通信機能を有すると判別された記録媒体について、前記無線通信機能を用いたデータ送信機能を無効とするよう制御し、
前記リレー記録モードが設定されていない場合、前記制御手段は、前記判別手段によって前記無線通信機能を有すると判別された記録媒体について、
前記無線通信機能が有効に設定されていれば、前記無線通信機能を用いたデータ送信機能を無効としないよう制御し、
前記無線通信機能が有効に設定されていなければ、前記無線通信機能を用いたデータ送信機能を無効とするよう制御する、
ことを特徴とする情報記録装置。
【請求項２】
前記制御手段は、前記リレー記録モードが設定されており、前記判別手段によって判別された前記無線通信機能を有する記録媒体が前記リレー記録モードで最初に用いられる記録媒体である場合には、該記録媒体について、前記無線通信機能を用いたデータ送信機能を有効とするとのユーザ指示があれば、該記録媒体についての前記無線通信機能を用いたデータ送信機能を無効としないよう制御することを特徴とする請求項１記載の情報記録装置。
【請求項３】
前記リレー記録モードにおいて記録された一連のデータが複数の記録媒体にまたがらずに前記リレー記録モードにおける記録が終了した場合、前記制御手段は無効とされていた前記無線通信機能を用いたデータ送信機能を有効とするよう制御することを特徴とする請求項１又は請求項２記載の情報記録装置。
【請求項４】
前記一連のデータは動画像であることを特徴とする請求項１乃至３のいずれか１項に記載の情報記録装置。
【請求項５】
前記複数の記録媒体は複数のメモリカードを含むことを特徴とする請求項１乃至４のいずれか１項に記載の情報記録装置。
【請求項６】
前記複数の記録媒体はメモリカードと内蔵メモリとを含むことを特徴とする請求項１乃至５のいずれか１項に記載の情報記録装置。
【請求項７】
被写体像を得る撮像素子をさらに有することを特徴とする請求項１乃至６のいずれか１項に記載の情報記録装置。
【請求項８】
前記情報記録装置はデジタルカメラであることを特徴とする請求項１乃至７のいずれか１項に記載の情報記録装置。
【請求項９】
一連のデータを、複数の記録媒体にまたがって連続的に記録するリレー記録モードを有する情報記録装置の制御方法であって、
判別手段が、記録可能な記録媒体のうち、前記情報記録装置とは異なる外部装置にデータを送信可能な無線通信機能を有する記録媒体を判別する判別工程と、
制御手段が、前記リレー記録モードが設定されているか否かに基づき、前記無線通信機能を有する記録媒体による、前記無線通信機能を用いたデータ送信機能を制御する制御工程手段とを有し、
前記制御工程において前記制御手段は、
前記リレー記録モードが設定されている場合、前記判別工程において前記無線通信機能を有すると判別された記録媒体について、前記無線通信機能を用いたデータ送信機能を無効とするよう制御し、
前記リレー記録モードが設定されていない場合、前記判別工程において前記無線通信機能を有すると判別された記録媒体について、
前記無線通信機能が有効に設定されていれば、前記無線通信機能を用いたデータ送信機能を無効としないよう制御し、
前記無線通信機能が有効に設定されていなければ、前記無線通信機能を用いたデータ送信機能を無効とするよう制御する、
ことを特徴とする情報記録装置の制御方法。
【請求項１０】
コンピュータを、請求項１乃至請求項８のいずれか１項に記載の情報記録装置の各手段として機能させるためのプログラム。
【発明の詳細な説明】
【技術分野】
【０００１】
本発明は、例えば映像、音声といった情報を記録する情報記録装置及びその制御方法に関し、特に複数の記録媒体を用いた連続的な記録が可能な情報記録装置及びその制御方法に関する。
【背景技術】
【０００２】
近年、複数の記録媒体を利用可能な情報記録装置、例えばディジタルカメラやビデオカメラ等、が知られている。複数の記録媒体としては、例えば、複数の内蔵記録媒体、内蔵の記録媒体と着脱可能な記録媒体、着脱可能な複数の記録媒体などを例示することができる。
【０００３】
このうち、着脱可能な記録媒体として広く用いられているのは半導体メモリカードであり、様々な規格、容量のものが知られている。規格の異なる半導体メモリカードに対応した複数のカードスロットを有する情報記録装置も知られている。
【０００４】
複数の記録媒体を利用可能な情報記録装置に固有の機能として、例えば動画のような一連のデータを複数の記録媒体にまたがって連続的に記録するリレー記録が知られている（特許文献１，２）。
【先行技術文献】
【特許文献】
【０００５】
【特許文献１】特開２００５−１３６７９４号公報
【特許文献２】特開２００７−１７４６９３号公報
【発明の概要】
【発明が解決しようとする課題】
【０００６】
近年、情報記録装置が利用可能な半導体メモリカードのなかには、無線通信機能を有するもの（無線メモリカード）が知られている。しかしながら、装着された複数の記録媒体に無線メモリカードが含まれている場合に、どのようにリレー記録を行うかについては全く検討されていなかった。
【０００７】
本発明はこのような従来技術の課題に鑑みてなされた。すなわち、本発明は、一連のデータを複数の記録媒体にまたがって連続的に記録するリレー記録が可能な情報記録装置及びその制御方法において、記録媒体に無線通信機能付きメモリカードが含まれている場合を考慮したリレー記録を可能とする。
【課題を解決するための手段】
【０００８】
上述の目的は、一連のデータを、複数の記録媒体にまたがって連続的に記録するリレー記録モードを有する情報記録装置であって、記録可能な記録媒体のうち、情報記録装置とは異なる外部装置にデータを送信可能な無線通信機能を有する記録媒体を判別する判別手段と、リレー記録モードが設定されているか否かに基づき、無線通信機能を有する記録媒体による、無線通信機能を用いたデータ送信機能を制御する制御手段とを有し、リレー記録モードが設定されている場合、制御手段は、判別手段によって無線通信機能を有すると判別された記録媒体について、無線通信機能を用いたデータ送信機能を無効とするよう制御し、リレー記録モードが設定されていない場合、制御手段は、判別手段によって無線通信機能を有すると判別された記録媒体について、無線通信機能が有効に設定されていれば、無線通信機能を用いたデータ送信機能を無効としないよう制御し、無線通信機能が有効に設定されていなければ、無線通信機能を用いたデータ送信機能を無効とするよう制御する、ことを特徴とする情報記録装置によって達成される。
【発明の効果】
【０００９】
本発明によれば、一連のデータを複数の記録媒体にまたがって連続的に記録するリレー記録が可能な情報記録装置及びその制御方法において、記録媒体に無線通信機能付きメモリカードが含まれている場合を考慮したリレー記録が可能となる。
【図面の簡単な説明】
【００１０】
【図１】本発明の第１の実施形態に係る情報記録装置の一例としてデジタルビデオカメラの構成例を示すブロック図
【図２】リレー記録について説明するための模式図
【図３】本発明の実施形態に係るデジタルビデオカメラにおいてリレー記録を行う場合に用いる管理情報の一例を示す図
【図４】本発明の第１の実施形態に係るデジタルビデオカメラにおける記録動作を説明するためのフローチャート
【図５】本発明の第２の実施形態に係るデジタルビデオカメラにおける記録動作を説明するためのフローチャート
【発明を実施するための形態】
【００１１】
（第１の実施形態）
以下、添付図面を参照して、本発明の例示的な実施形態について詳細に説明する。以下の実施形態においては、一連のデータの一例としての動画データを、またリレー記録可能な情報記録装置の一例としてのデジタルビデオカメラを説明する。しかし、本発明における一連のデータは動画データに限定されず、また情報記録装置もデジタルビデオカメラに限定されない。
【００１２】
図１は、本発明の第１の実施形態に係る情報記録装置の一例としてデジタルビデオカメラ１００の構成例を示すブロック図である。レンズユニット２０１は、固定レンズ群、変倍レンズ群、絞り、補正レンズ群（いずれも図示せず）を有する。補正レンズ群は、変倍レンズ群の動きで移動した結像位置を補正する機能と、焦点調節機能とを有する。撮像素子２０４は例えばＣＣＤ(Charge Coupled Device)であり、レンズユニット２０１によって結像面上に結像された被写体像を画素単位の電気信号に変換して撮像信号を生成する。Ａ／Ｄ処理部２０５は、撮像信号に所定の処理を施しデジタル画像データを出力する。なお、レンズユニット２０１、撮像素子２０４、及びＡ／Ｄ処理部２０５はカメラユニット２００を構成する。また、図１には示していないが、カメラユニット２００は、レンズユニット２０１が有する変倍レンズ群、絞りなどを駆動するためのアクチュエータ、手ぶれ補正のためのセンサー（例えば角速度センサー）、光学式手ぶれ補正機構（シフトレンズなど）も有している。
【００１３】
カメラユニット制御部２１８は、主制御部２１０の制御に従いカメラユニット２００の各要素の動作を制御する。また、例えば合焦情報、手ぶれ情報などのカメラユニット２００から得られる情報を主制御部２１０に伝達する。マイクユニット２０９は撮像時に環境音を検出する。マイクユニット２０９には増幅器や帯域制限回路が含まれる。Ａ／Ｄ処理部２１９は、マイクユニット２０９の出力するアナログ音声信号を受けてデジタル音声データを出力する。
【００１４】
主制御部２１０はデジタルビデオカメラ１００の全体を制御する、例えばマイクロコンピュータである。主制御部２１０は、プログラムを格納する不揮発性メモリ（ＲＯＭ）、作業領域となる揮発性メモリ（ＲＡＭ）、他のハードウエアとのデータの受け渡しや制御用レジスタをアクセスするための外部バス、時間を計測するタイマを少なくとも有する。バス２０３は、接続されたブロック間で、主制御部２１０の制御に従ってデータの受け渡しを行うための伝送路である。
【００１５】
エンコーダ部２０２は、主制御部２１０の制御に従い、Ａ／Ｄ処理部２０５及び２１９からのデジタル画像データ及びデジタル音声データを、例えばＭＰＥＧ(Moving Picture Experts Group)２方式で符号化する。エンコーダ部２０２はさらに、ＭＰＥＧ２形式の符号化データを時系列順に多重化して圧縮ビデオデータを生成する。また、エンコーダ部２０２は、例えばデータ位置とフレーム位置の変換に必要となる情報などを主制御部２１０に通知する機能を備えている。
【００１６】
記録回路部２２１は、エンコーダ部２０２、メモリ２０６、メモリカードＡ２２０、メモリカードＢ２２３、及びデコーダ部２０８とのインターフェースを有し、主制御部２１０の制御によってデータの受け渡しを制御する。メモリ２０６は各ブロックが作業用に使用可能な記憶領域である。
【００１７】
記録回路部２２１の機能判別部３０１は、メモリカードＡ２２０、メモリカードＢ２２３が無線通信機能を有するか否かを、例えばメモリカードごとに付与されるメモリカードＩＤを参照することにより判別する。機能判別部３０１は、例えば、デジタルビデオカメラ１００の電源投入時や、メモリカードの挿抜が行われた際に判別処理を実行する。
【００１８】
無線制御部３０２は、メモリカード内の無線通信機能の制御、具体的にはメモリカード内にある無線送信部の電源制御と、メモリカードに格納された動画データの送信制御を行う。記録媒体切替部３０３は、動画データの記録先の記録媒体を切り替える。記録媒体切替部３０３は、例えば一連のデータを複数の記録媒体にまたがって連続的に記録するリレー記録時には、記録中の記録媒体の記録残量が所定の閾値以下になったら、設定されている記録順序に基づいて記録先の記録媒体を切り替える。なお、機能判別部３０１、無線制御部３０２、及び記録媒体切替部３０３は個別のハードウェアであってもよいし、２つ以上が１つのハードウェアによって実現されてもよい。また、主制御部２１０がこれらの機能を実行してもよい。
【００１９】
なお、デジタルビデオカメラ１００には無線通信機能を有する記録媒体の無線通信機能の有効・無効を設定するメニューが用意されている。ユーザによるメニュー操作などにより無線通信機能が有効に設定されると、無線制御部３０２はメモリカード内の無線通信部への電源供給が行われるよう制御する。また、無線通信機能が無効に設定されると、無線制御部３０２はメモリカード内の無線通信部の電源供給が停止されるよう制御する。この設定はＥＥＰＲＯＭ２１１に保持される。
【００２０】
メモリカードＡ２２０及びメモリカードＢ２２３は撮像した動画の記録先として利用可能な記録媒体の一例である。記録回路部２２１は、メモリ２０６、メモリカードＡ２２０、メモリカードＢ２２３、及びバス２０３とのインターフェースを有している。そして、記録回路部２２１は、主制御部２１０等からメモリカードＡ２２０やメモリカードＢ２２３の制御レジスタにアクセスするための変換を行う。
【００２１】
メモリカードＡ２２０及びメモリカードＢ２２３には、カメラユニット２００で撮像した映像と、マイクユニット２０９で収録した音声を含んだ動画データが記録される。なお、メモリカードＡ２２０及びメモリカードＢ２２３は、記録回路部２２１と接続可能なインターフェースを有し、自身が有する半導体メモリに対するデータの読み書きを行うための回路を備えている。本実施形態の記録回路部２２１は、所謂ダイレクトメモリアクセス（ＤＭＡ）機能を有する。そのため、メモリ２０６の読み出し先頭アドレスとデータ量、及びメモリカードＡ２２０、メモリカードＢ２２３の書き込み先頭アドレスを記録回路部２２１に指定することにより、データの自動転送が行われる。記録媒体からメモリ２０６への読み出しにおいても同様である。
【００２２】
デコーダ部２０８は、主制御部２１０に指定されたメモリ２０６のアドレスから圧縮ビデオデータや圧縮静止画データを逐次読み出す。デコーダ部２０８は読み出した圧縮ビデオデータや圧縮静止画を、例えばＩＴＵ−Ｒ  ＢＴ．６５６（ＣＣＩＲ６５６）等のデジタル映像信号、及びデジタル音声信号に変換して出力する。デコーダ部２０８は、圧縮静止画データの再生時に必要があれば縮小処理を行う。
【００２３】
映像出力部２１７、音声出力部２０７はデコーダ部２０８によって変換されたデジタル映像信号及びデジタル音声信号を、外部装置に出力するためにそれぞれアナログ信号に変換する。映像出力部２１７、音声出力部２０７には例えばテレビジョン受像機等が接続される。
【００２４】
オンスクリーンディスプレイ（ＯＳＤ）部２１３は、各種設定を行うためのメニュー画面やタイトル、時間などの情報をデコーダ部２０８の出力するデジタル映像信号に重畳させて映像出力部２１７に出力する。またＯＳＤ部２１３は、デコーダ部２０８から入力されるデジタル映像信号をキャプチャーして縮小処理を施し、デジタル映像信号に対応する画像の任意の位置に重畳させる機能も有している。
【００２５】
スイッチ操作部２１２は、ユーザがデジタルビデオカメラ１００を操作するための入力デバイス群であり、入力デバイスはスイッチに限定されない。主制御部２１０は、スイッチ操作部２１２やタッチパネル２１５に対してユーザから与えられた入力の内容を判定し、入力に応じた動作を実行させる。
【００２６】
メモリカードＡ２２０及びメモリカードＢ２２３には、予め定められたファイルシステム（データファイルの管理構造）に従ってデータの読み書きが行われる。このようなデータ管理を行うためのソフトウェア（ドライバ）は、主制御部２１０が有している。ＥＥＰＲＯＭ２１１は、書き換え可能なＲＯＭであり、例えばデジタルビデオカメラ１００のファームウェアや設定値などが書き込まれている。
【００２７】
ＥＶＦ(Electronic View Finder)２１４は、デジタルビデオカメラ１００の撮像範囲を確認するための表示装置である。液晶パネル２１６はＥＶＦ２１４より大型の表示装置であり、メニュー画面の表示などに用いられる。なお、液晶パネル２１６をＥＶＦとして機能させることもできる。液晶パネル２１６にはタッチパネル２１５が設けられており、ユーザは液晶パネル２１６に表示されたＧＵＩを指などで直接操作することでメニュー操作や各種指示の入力が可能である。
【００２８】
画面制御部２２２は、タッチパネル２１５からの入力位置を演算し、液晶パネル２１６に表示された画像との関係に基づいて、入力内容を判別する。画面制御部２２２はさらに、液晶パネル２１６に表示させる仮想ボタン（ＧＵＩ）の表示制御も行う。
【００２９】
ここで、リレー記録について図２を参照して説明する。図２（ａ）は、リレー記録に用いる記録媒体の順序が、スロット１（メモリカードＡ２２０）→スロット２（メモリカードＢ２２３）の順に設定されている場合を示している。メモリカードＡ２２０を記録先として記録を開始し、記録可能容量が閾値以下となったら（例えば閾値が０であれば、記録可能容量がなくなったら）、記録先の記録媒体をメモリカードＡ２２０からメモリカードＢ２２３に切り替えて記録を継続する。
【００３０】
メモリカードＡ２２０及びメモリカードＢ２２３のいずれも無線通信機能を有さない場合、図２（ａ）に示すような順序で記録先を変更しながらリレー記録しても特に問題は生じない。しかしながら、例えばメモリカードＢ２２３が無線通信機能を有する場合には、問題が生じる。この問題について、図２（ｂ）を参照して説明する。メモリカードＢ２２３が無線通信機能付きのメモリカードであった場合に図２（ａ）と同様のリレー記録が行われた場合を図２（ｂ）に示す。この場合、リレー記録そのものには特に問題は生じない。しかし、少なくともメモリカードＢ２２３に対する記録の終了後、メモリカードＢ２２３が無線ネットワークと通信可能になると、メモリカードＢ２２３は記録されたデータを予め設定された転送先（ユーザのＰＣやネットワーク上のサーバなど）に自動転送する。つまり、リレー記録された一連のコンテンツのうち、メモリカードＢ２２３に記録された区間のみが、サーバに無線転送されてしまう。従来、このような問題についての対処方法は全く検討されていなかった。
【００３１】
図３は、本実施形態のデジタルビデオカメラ１００において、メモリカードＡ２２０からメモリカードＢ２２３の順にリレー記録を行う場合に、各メモリカードに記録する管理情報の一例を示す。
【００３２】
コンテンツ管理情報４０１はメモリカードＡ２２０に記録され、コンテンツ管理情報４０２はメモリカードＢ２２３に記録される。メモリカードコンテンツＩＤ、記録日時、開始位置、記録時間、容量等の項目は、各メモリカードに記録されたデータに関する情報である。また、リレーＩＤはこのコンテンツＩＤのコンテンツが次の記録先に引き続いて記録されているかどうかを示す情報である。リレー記録されていない場合（すなわち、メモリカードＡ２２０で記録が完結している場合）には例えば”０”が、リレー記録されている場合には、続きが記録されている記録媒体とコンテンツＩＤを特定する情報が含まれる。記録媒体を特定する情報としては、例えばメモリカードＩＤなどの固有情報であってよい。主制御部２１０は、コンテンツデータファイルを記録媒体に記録するごとに、そのコンテンツについてのコンテンツ管理情報を生成し、コンテンツデータファイルが記録されている記録媒体に記録する。
【００３３】
主制御部２１０は、メモリカードＡ２２０からメモリカードＢ２２３にコンテンツをリレー記録する場合、まず、メモリカードＡ２２０のコンテンツ管理情報４０１のリレーＩＤに、次の記録先であるメモリカードＢ２２３のメモリカードＩＤを記録する。次に主制御部２１０は、同一コンテンツに係るデータをメモリカードＢ２２３に記録し始めるとともに、コンテンツ管理情報４０２を生成する。そして、主制御部２１０は、コンテンツ管理情報４０２のコンテンツＩＤを、メモリカードＡ２２０のコンテンツ管理情報４０１のリレーＩＤに追加する。これにより、コンテンツ管理情報４０１のリレーＩＤには、リレー記録先であるメモリカードＢ２２３のメモリカードＩＤと、メモリカードＢ２２３に記録されたコンテンツＩＤとが記録される。
【００３４】
次に図４のフローチャートを用いて、本実施形態のデジタルビデオカメラ１００における記録動作を説明する。
なお、ここでは、リレー記録時における記録媒体の使用順序（記録順序）が予め設定されているものとする。なお、記録順序は例えばユーザ設定に従って設定されてもよいし、記録可能容量が多いものからリレー記録を行うよう、リレー記録モード設定時に主制御部２１０が自動的に順序を設定してもよい。なお、どのような規則で記録順序の自動設定を行うかをユーザが設定可能であってもよい。
また、ここでは、デジタルビデオカメラ１００が記録スタンバイ状態にあるものとする。記録スタンバイ状態では、カメラユニット２００が連続的にプレビュー用の撮像を行い、ＥＶＦ２１４や液晶パネル２１６がビューファインダとして機能している。
【００３５】
Ｓ５０１で主制御部２１０は、リレー記録モードが設定されているか否かを、例えばＥＥＰＲＯＭ２１１を参照することにより判定する。リレー記録の設定がされていない場合、主制御部２１０はＳ５１５で、スイッチ操作部２１２に含まれる記録開始キーやタッチパネル２１５の操作によって、記録開始が指示されたかどうか判別する。
【００３６】
記録開始指示を検出すると、主制御部２１０は、Ｓ５１６で記録処理を開始する。記録処理では、カメラユニット２００により撮像された画像を、エンコーダ部２０２、記録回路部２２１を通じて記録媒体に記録する。ここで記録を行う記録媒体は、メモリカードＡ２２０、メモリカードＢ２２３のうち、予め設定された記録媒体（例えば直前に記録が行われた記録媒体）である。
【００３７】
記録先の記録媒体が無線通信機能を有し、かつその記録媒体の無線通信機能が有効に設定されている場合、無線送信を許可する。記録媒体の有する図示しない無線送信部は、予め設定された無線通信ネットワーク（もしくは予め設定された転送先装置）と通信可能になると、記録されたデータの無線転送を開始する。なお、無線通信機能が有効に設定されていない場合、データは転送されない。
【００３８】
Ｓ５１７で主制御部２１０は、スイッチ操作部２１２に含まれる記録終了キーやタッチパネル２１５の操作によって、記録終了が指示されたかどうか判別する。記録終了指示を検出すると、主制御部２１０は図４の記録動作を終了する。
【００３９】
一方、Ｓ５０１でリレー記録モードが設定されていると判定された場合、処理はＳ５０２に移行する。Ｓ５０２で主制御部２１０は、デジタルビデオカメラ１００に装着されている記録媒体（本実施形態ではメモリカードＡ２２０及びメモリカードＢ２２３）に、無線通信機能を有するものがあるか判別する。具体的には、主制御部２１０は記録回路部２２１の機能判別部３０１が判別した結果を取得する。上述のように、機能判別部３０１は例えばメモリカードＩＤを参照することによりメモリカードの無線通信機能の有無を判別することができる。
【００４０】
Ｓ５０２で、主制御部２１０は、何れの記録媒体（メモリカードＡ２２０、メモリカードＢ２２３）も無線通信機能を有していなければ処理をＳ５０５に、無線通信機能を有する記録媒体があれば処理をＳ５０３に進める。
【００４１】
Ｓ５０３で主制御部２１０は、無線通信機能を有する記録媒体の無線送信部を無効にする。例えば主制御部２１０は、無線通信機能を有する記録媒体の無線送信部の電源を無線制御部３０２を通じてオフすることにより、その記録媒体の無線通信機能を無効にすることができるが、他の方法を用いてもよい。例えば、記録媒体が保持する設定パラメータ（無線送信部の有効、無効を設定するフラグ又は値）を、無線制御部３０２を通じて無線送信部が無効となる値に変更する方法であってもよい。なお、この処理は予めユーザ操作によって無線通信機能が有効に設定されていても行われる。
【００４２】
そして、主制御部２１０はＳ５０４において、記録媒体の有する無線通信機能を用いた通信を行わないことをユーザに報知する。この報知の方法に特に制限はないが、例えば液晶パネル２１６にメッセージを表示したり、（例えばデコーダ部２０８に接続されてよい）図示しないスピーカから音声メッセージを出力したりすることによる報知が考えられる。また、ユーザに対して無線通信機能の無効化の確認入力を要求してもよい。例えばスイッチ操作部２１２から確認入力があると、主制御部２１０は処理をＳ５０５に進める。なお、主制御部２１０は、報知メッセージの出力後、一定時間経過後に自動的に処理をＳ５０５に進めてもよい。
【００４３】
Ｓ５０５で主制御部２１０は、スイッチ操作部２１２に含まれる記録開始キーやタッチパネル２１５の操作によって、記録開始が指示されたかどうか判別する。
【００４４】
記録開始指示を検出すると、主制御部２１０はＳ５０６で記録処理を開始する。ここで最初の記録先となる記録媒体は、予め設定された記録順序が先頭の記録媒体である。記録処理の開始時に主制御部２１０はコンテンツ管理情報（図３）を生成し、記録媒体（あるいは、メモリ２０６）に書き込む。
【００４５】
Ｓ５０７で主制御部２１０は、記録中の記録媒体の記録可能容量（記録可能時間や空き容量でもよい）が、所定の閾値以上であるか否かを判定する。記録中の記録媒体の記録可能容量が所定の閾値以上の場合、Ｓ５０８で主制御部２１０は、スイッチ操作部２１２に含まれる記録終了キーやタッチパネル２１５の操作によって、記録終了が指示されたかどうか判別する。記録終了指示を検出すると、主制御部２１０は図４の記録動作を終了する。なお、Ｓ５０８で記録終了指示が検出された場合、実際にはリレー記録がなされていないので、主制御部２１０はＳ５０６で記録したコンテンツ管理情報を削除してもよい。
【００４６】
Ｓ５０７で、記録中の記録媒体の記録可能容量が所定の閾値未満であれば、Ｓ５０９で主制御部２１０は、記録媒体切替部３０３によって、次の記録順序が設定された記録媒体に記録先の記録媒体を切り替えて記録を継続する。なお、次の記録順序が設定された記録媒体が装着されていない場合や、記録可能容量が所定の閾値未満である場合など、使用できない状況であれば、主制御部２１０は図４の記録動作を終了する。この場合もＳ５０８で記録終了指示が検出された場合と同様、実際にはリレー記録がなされていないので、主制御部２１０はＳ５０６で記録したコンテンツ管理情報を削除してもよい。
【００４７】
Ｓ５１０で主制御部２１０は、記録中の記録媒体の記録可能容量（記録可能時間や空き容量でもよい）が、所定の閾値以上であるか否かを判定する。記録中の記録媒体の記録可能容量が所定の閾値以上の場合、Ｓ５１１で主制御部２１０は、スイッチ操作部２１２に含まれる記録終了キーやタッチパネル２１５の操作によって、記録終了が指示されたかどうか判別する。Ｓ５１１で記録終了指示を検出すると、主制御部２１０は記録処理を終了し、Ｓ５１２に処理を移す。Ｓ５１０で、記録中の記録媒体の記録可能容量が所定の閾値未満であれば、主制御部２１０は記録処理を終了し、処理をＳ５１２に移す。
【００４８】
Ｓ５１２で主制御部２１０は、関連付け処理を行う。関連付け処理は、図３を用いて上述したコンテンツ管理情報４０１，４０２の更新処理である。記録時間や容量、リレーＩＤなどが記録終了時に更新される。コンテンツ管理情報４０１，４０２をメモリ２０６に書き込んでいる場合には、更新したコンテンツ管理情報４０１を記録媒体に書き込む。関連付け処理が終了すると、主制御部２１０は図４の記録動作を終了する。
【００４９】
以上のように、本実施形態では、複数の記録媒体に対してリレー記録を行う場合、無線通信機能を有する記録媒体の無線通信機能を無効にする。これにより、リレー記録された同一コンテンツのうち、無線通信機能を有する記録媒体に記録された部分だけが転送されてしまうことを防止できる。
【００５０】
（第２の実施形態）
次に、本発明の第２の実施形態に係る情報記録装置におけるリレー記録動作について説明する。なお、本実施形態に係る情報記録装置は、リレー記録に用いる最初の記録媒体が無線通信機能を有する場合の処理を除いて第１の実施形態と共通であってよい。従って、以下では、第１の実施形態で説明したデジタルビデオカメラ１００で実行するものとし、第１の実施形態における記録動作との相異点を中心に説明する。
【００５１】
図５に示すフローチャートを参照して、本実施形態のデジタルビデオカメラ１００における記録動作を説明する。図５において、図４と同じ工程については同じ参照数字を付してある。
【００５２】
Ｓ５０２で無線通信機能を有する記録媒体が存在することが判別された場合、Ｓ６０１で主制御部２１０は、リレー記録で最初に用いる（記録順序が先頭の）記録媒体が無線通信機能を有する記録媒体か否かを判定する。先頭の記録順序が設定された記録媒体が無線通信機能を有する場合、Ｓ６０２で主制御部２１０は、この記録媒体の無線通信機能を用いたデータ通信を行うか否かについてユーザに問い合わせる。
【００５３】
具体的には、主制御部２１０は例えば「リレー記録する最初の記録媒体の無線通信機能を有効にしますか？」という問い合わせメッセージを「はい」「いいえ」ＧＵＩボタンとともに液晶パネル２１６に表示させる。そして主制御部２１０は、タッチパネル２１５もしくはスイッチ操作部２１２から「はい」又は「いいえ」のどちらを示すユーザ指示が入力されたか判別する。
【００５４】
リレー記録する最初の記録媒体の無線通信機能を有効にするとのユーザ指示が入力されれば、Ｓ６０４で主制御部２１０は、無線制御部３０２を通じてその記録媒体の無線通信機能を有効にする。なお、既に無線通信機能が有効にされている場合は、本ステップは実行されない。一方、Ｓ６０１で先頭の記録順序が設定された記録媒体が無線通信機能を有さないと判別されたか、リレー記録する最初の記録媒体の無線通信機能を有効にしないとのユーザ指示がＳ６０３で入力された場合、主制御部２１０は処理をＳ５０３に移行する。そして、主制御部２１０は無線制御部３０２を通じて無線通信機能を無効にする。なお、既に無線通信機能が無効にされている場合は、本ステップは実行されない。
他の処理は第１の実施形態と同様であるため説明を省略する。
【００５５】
以上説明したように、本実施形態では、リレー記録に用いる最初の記録媒体が無線通信機能を有する場合で、ユーザの明示的な指示がある場合には、その無線通信機能を有効にできるようにした。これは、ユーザがリレー記録に用いる最初の記録媒体が無線通信機能を有する場合、ユーザはたとえ一部であっても、記録したコンテンツを送信したい意図があるとも考えられるからである。本実施形態ではユーザの指示を受け付け可能とし、ユーザの意図を尊重した柔軟なリレー記録を行うことができるようにした。なお、リレー記録に用いる最初の記録媒体が無線通信機能を有さない場合、記録したコンテンツを送信したいという積極的な意図がユーザにあるとは考えにくい。そこで、最初に記録される記録媒体が無線通信機能を有さず、２番目以降の記録媒体が無線通信機能を有する場合には、無線通信機能の使用についてユーザに問い合わせをしない。
【００５６】
なお、Ｓ６０１において、リレー記録する最初の記録媒体の無線通信機能が有効になっているか否かを判断してもよい。この場合は、有効である場合にＳ６０２のメッセージを表示し、無効である場合にはＳ５０５に進むようにしてもよい。これは、例え最初の記録媒体が無線通信機能を有する場合であっても、その無線通信機能が無効であれば、記録したコンテンツを送信したいという積極的な意図がユーザにあるとは考えにくいからである。
【００５７】
（その他の実施形態）
上述の実施形態では、記録媒体が有する無線通信機能を無効とすることで、無線通信機能によるデータ転送を防止するものとして説明した。しかし、無線通信機能は有効のままとし、データ転送先装置と通信可能になってもデータ転送を行わない（すなわち、データ転送機能を無効とする）ようにしてもよい。要は、記録媒体にリレー記録したデータが、その記録媒体の有する無線通信機能によってデータ転送されることが防止できれば、その方法に制限はない。
【００５８】
また、リレー記録モードで記録を開始したが、実際には記録媒体を跨いだ記録がなされなかった場合に、記録媒体の無線通信機能を有効にするように構成することもできる。例えば第１の実施形態の記録動作を示す図４において、Ｓ５０８で記録終了指示が検出された場合に、Ｓ５０３で無効にした無線通信機能を自動的に有効に戻すように構成することができる。これにより、必要でない場合にまで無線通信機能を無効化することを回避でき、無線通信機能を有する記録媒体の利点を有効に活かすことができる。
【００５９】
あるいは、リレー記録モードにおいて最初に記録される記録媒体が無線通信機能を有する場合で、かつ記録がその記録媒体に収まる範囲で終了した場合には、記録処理の終了後に自動的に無線通信機能を自動的に有効に戻すように構成してもよい。
【００６０】
さらに、上述の実施形態はリレー記録の記録先として利用可能な記録媒体が２つである装置に適用した場合を説明したが、３以上の記録媒体に対してリレー記録を行うことが可能な装置にも同様に適用可能である。であってもよい。例えば内蔵記憶装置（半導体メモリや磁気記録媒体など）をリレー記録に利用可能な構成であってもよい。
【００６１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005731927.tif 000002
【図２】
0005731927.tif 000003
【図３】
0005731927.tif 000004
【図４】
0005731927.tif 000005
【図５】
0005731927.tif 000006